(57)【要約】【課題】  遊技球の運動方向を変更せしめて遊技球の振分け結果が単調になることを防止した遊技球の振分け装置を提供する。【解決手段】  本発明による遊技球の振分け装置は、遊技球の通過経路を形成する導入機構と、遊技球の該通過経路に交差する方向の回転軸回りに回転自在でありかつ該通過経路をよぎる円筒面を備えていて該円筒面上において偏在して分布する磁性吸着領域を有する回転ドラムと、該回転ドラムの近傍を経た遊技球を該回転軸方向における限定された領域において受け入れる入賞口形成機構と、を含む。該回転ドラムは該円筒面上にその円周方向に沿って伸長する少なくとも１つの突条を有する。【選択図】  図２
2006223731.tif 000002
【特許請求の範囲】
【請求項１】
遊技球の振分け装置であって、
遊技球の通過経路を形成する導入機構と、
遊技球の前記通過経路に交差する方向の回転軸回りに回転自在でありかつ前記通過経路をよぎる円筒面を備えていて前記円筒面上において偏在して分布する磁性吸着領域を有する回転ドラムと、
前記回転ドラムの近傍を経た遊技球を前記回転軸方向における限定された領域において受け入れる入賞口形成機構と、を含み、
前記回転ドラムは前記円筒面上にその円周方向に沿って伸長する少なくとも１つの突条を有することを特徴とする遊技球の振分け装置。
【請求項２】
前記磁性吸着領域は前記回転ドラムの回転軸方向において配列された複数の磁性スポットを有することを特徴とする請求項１記載の遊技球の振分け装置。
【請求項３】
前記磁性吸着領域は前記回転ドラムの回転方向において配列された複数の磁性スポットを有することを特徴とする請求項１記載の遊技球の振分け装置。
【請求項４】
前記突条は前記磁性スポットの間に設けられていることを特徴とする請求項２または３に記載の遊技球の振分け装置。
【請求項５】
前記突条は前記磁性スポットを通過する回転軸に平行な直線から離れていることを特徴とする請求項２または３に記載の遊技球の振分け装置。
【請求項６】
前記突条は少なくとも２つ設けられており、
前記突条の長手方向の向きが互いに異なっていることを特徴とする請求項１記載の遊技球の振分け装置。
【請求項７】
前記突条の前記回転ドラムの回転方向における先端部が後端部に比して前記円筒面の中央部から遠ざかる位置にあることを特徴とする請求項６記載の遊技球の振分け装置。
【請求項８】
前記突条の前記回転ドラムの回転方向における先端部が後端部に比して前記円筒面の中央部に近づく位置にあることを特徴とする請求項６記載の遊技球の振分け装置。
【請求項９】
前記突条の側面は前記円筒面の垂直面から傾斜した傾斜面となっていることを特徴とする請求項１記載の遊技球の振分け装置。
【請求項１０】
前記突条の側面は曲面となっていることを特徴とする請求項１記載の遊技球の振分け装置。
【発明の詳細な説明】
【技術分野】
【０００１】
本発明は、遊技球の振分け装置に関し、特に遊技球の運動方向を変更せしめて該遊技球を特定領域と非特定領域とに振分ける装置に関する。
【背景技術】
【０００２】
従来、遊技機にはいわゆる役物と呼ばれる入賞装置に供給される遊技球の振り分け先の善し悪しを遊技のポイントにするものが知られている。より具体的に記載すると、かかる遊技機は、所定の入賞口を通過した遊技球を振分け装置で複数の通路のうちのいずれかに振り分けて、特定の通過口を遊技球が通過したときに、所定数の賞球を払い出したり、あるいは遊技盤面に設けられた表示部の遊技画像の変動を開始したりするのである。
【０００３】
かかる振分け装置として、円筒面に永久磁石および電磁石が所定のパターンで備えられた円筒状の誘導回転体を用いたものが知られている（特許文献１参照）。該振分け装置は、誘導回転体の前面に供給された遊技球を磁力によって吸着せしめて振分けを行う。換言すれば、該振分け装置の誘導回転体は、該円筒面に向かって供給された遊技球を該円筒面に設けられた磁石の磁力によって吸着して回転方向へと当該吸着遊技球を搬送し、さらに該回転方向に直交する方向に並べられている複数の通路へ該遊技球を導いて、振り分けを行っている。また、誘導回転体の前面側には遊技球の流路自体を任意の角度に変更する流路変更部材が配置されている。
【特許文献１】特開２００３‐３８７５６号公報
【発明の開示】
【発明が解決しようとする課題】
【０００４】
上記の如き誘導回転体による遊技球の振り分けによると、当該複数の通路はそれぞれ磁石の位置に対応して設けられている故、磁石ごとに遊技球の振り分け先がほぼ決定されている。換言すれば、かかる回転誘導体と遊技球とが接する位置に応じて、振り分けの結果がほぼ決まってしまうのである。その結果、誘導回転体に対して遊技球が供給された位置によって振り分け結果が遊技者に予想されてしまう。
【０００５】
また、当該接触位置が所定の位置に定められてしまうと、得られる結果に変化が見られなくなってしまう。かかる状況は、遊技者が所定の接触位置を狙って遊技球を供給する場合の他、大量の遊技球が誘導回転体に供給されて誘導回転体の前面に遊技球が滞留する場合にも生じ得る。かかる状況が頻繁に発生すると、遊技の進行が単調になるおそれがある。
【０００６】
回転誘導体の前方に流路変更部材を配置しさらにかかる部材の角度を変えることによって遊技球の動きを変化させることはできるものの、振分け装置の構成が複雑となるだけでなく遊技球振分け装置の占有空間が大となってしまうという問題がある。
【０００７】
本発明は上述した問題点が一例として挙げられる課題を解決するためになされたものであり、遊技球の振り分け結果に変化を生ぜしめることができる遊技球振分け装置を提供することを目的としている。
【課題を解決するための手段】
【０００８】
本発明による遊技球の振分け装置は、遊技球の通過経路を形成する導入機構と、遊技球の該通過経路に交差する方向の回転軸回りに回転自在でありかつ該通過経路をよぎる円筒面を備えていて該円筒面上において偏在して分布する磁性吸着領域を有する回転ドラムと、該回転ドラムの近傍を経た遊技球を該回転軸方向における限定された領域において受け入れる入賞口形成機構と、を含み、該回転ドラムは該円筒面上にその円周方向に沿って伸長する少なくとも１つの突条を有することを特徴とする。
【発明を実施するための最良の形態】
【０００９】
以下、本発明による遊技球振分け装置について、添付図面を参照しつつ詳細に説明する。なお、下記実施例は、いわゆる第２種遊技機と称される遊技機について説明しているもののこれに限定されない。
【００１０】
図１に示す如く、遊技機１は、縦長な方形状の枠組にて構成され遊技機の設置場所に強固に固定される外枠２と、外枠２に一側を保持され且つ外枠２に対して開閉自在に設けられた表枠３と、表枠３に開閉自在に設けられている透明ガラス枠４および扉枠５と、を備えている。
【００１１】
表枠３には、盤面が遊技領域とされる遊技盤６が設けられている。表枠３の下方には、遊技機に供給すべき弾球（以下、遊技球とも称する）を一時貯留する上皿７、遊技機１より賞球として排出された弾球の一部を貯留する下皿８、弾球を遊技盤の上部に打ち出す弾球打出装置（図示せず）、弾球打出装置を操作するための操作ハンドル９が設けられている。
【００１２】
遊技盤６はその下部左右と下部中央との３箇所に始動口１０が設けられている他、図示しない釘や風車等が設けられている。また、遊技盤６のほぼ中央には、複数の入賞領域を有する変動入賞装置１１（いわゆる特別電動役物）が備えられている。変動入賞装置１１は、当該装置内への遊技球の通過の可否を振り分ける羽根部１２を有している。羽根部１２は遊技球が始動口１０を通過することを契機として開閉することとしても良い。羽根部１２が開状態にあるときに、遊技球を変動入賞装置１１内に導くことができる。羽根部１２を通過した遊技球は、誘導路（図示せず）を介して遊技球の振分け装置１３に案内される。振分け装置１３は、図１には図示しない複数の通路のうちのいずれかに遊技球を振り分ける回転ドラム１４を含む。
【００１３】
図２に示す如く、遊技球の振分け装置１３の回転ドラム１４にはこれを回転せしめるモータ１５が取り付けられていて、回転ドラム１４はドラム支持体１６によって軸支されている。ドラム支持体１６には、変動入賞装置の誘導路（図示せず）を通過した遊技球Ｂ（図中点線で示す）を遊技球の振分け装置１３に導入する球通路１７ａ、遊技球Ｂを回転ドラム１４に向けて案内する球通路１７ｂおよび遊技球Ｂを回転ドラム１４から離れる方向に案内する球通路１７ｃが設けられている。かかる誘導路および球通路１７ａ〜ｃが遊技球の通過経路を形成する導入機構となっている。
【００１４】
回転ドラム１４の回転軸１８は、遊技球が球通路１７ｂを通過して回転ドラムを越えて搬送される方向、すなわち遊技球の通過経路に交差する方向に配置されている。回転ドラム１４は、該通過経路をよぎる円筒面１９を有する。回転ドラム１４には、円筒面１９上において偏在して分布する磁性吸着領域２０と円筒面上にその円周方向に沿って伸長する少なくとも１つの突条２１とが設けられている。なお、本明細書において円周方向とは、円筒面に対して垂直な面内に含まれるものだけでなく、当該垂直面から傾いた略垂直な面内に含まれるものをいう。該略垂直な面は円筒面の垂直面に対して４５°を超えない角度で傾斜しているものとする。
【００１５】
磁性吸着領域２０には回転ドラム１４の回転軸１８方向において配列された複数の磁性スポット２２が設けられており、例えば回転軸に平行な方向に一列に配列された３つの磁性スポット２２が設けられている。また、磁性スポット２２は、回転方向において配列されていることとしても良い。突条２１は、かかる磁性スポット２２の間に設けられていることとしても良い。例えば回転方向に平行に伸長する２本の直線状の突条２１としても良い。
【００１６】
ドラム支持体１６には、回転ドラム１４が回転したときに突条２１が通過する凹部２３が設けられている。なお、遊技球が凹部２３内に侵入しないように凹部２３の幅および深さは遊技球の直径より小となっている。なお、球通路中に凸状構造体２４が設けられていても良い。かかる凸状構造体２４によってドラム回転体１４に向かう遊技球の運動方向を変更することができる。また、回転ドラム１４に向かった遊技球のうち、磁性スポット２２に吸着しなかった遊技球を球通路１７ｂから取除くための開口２５が回転ドラム１４の端部の近傍に設けられても良い。なお開口２５は所定数の賞球を払いだす入賞口としても良い。さらに、回転ドラムから離れる方向に案内する球通路１７ｃは、遊技球Ｂを図示しない入賞口に誘導することとしても良い。
【００１７】
回転ドラム１４の円筒面１９の近傍でありかつ回転ドラム１４を挟むようにして球通路１７ｂから離れた位置に複数の入賞領域が設けられている。当該入賞領域群は、回転ドラム１４の近傍を経た遊技球を回転軸１８方向における限定された領域において受け入れる入賞口形成機構の一部を構成している。該入賞領域群は、例えば回転ドラム１４の回転軸方向において入賞領域を順に一列に配列して形成されていることとしても良い。かかる入賞領域群は例えば３つの入賞領域からなり、円筒面の中央付近に１つの特定領域２６が配置されて特定領域２６の両脇に一般領域２７が配置されている構成としても良い。特定領域２６を通過した遊技球は開口を通じて特定領域通路（図示せず）に案内される。該特定領域通路には玉検知センサ（図示せず）が設けられており、該センサにより遊技球の通過が検知されることを契機として、変動入賞装置の羽根部の開閉回数を増加させることとしても良い。一般領域２７には、一般領域を通過した遊技球を案内する一般領域通路（図示せず）が設けられている。該一般領域通路には玉検知センサ（図示せず）が設けられており、該センサにより遊技球の通過が検知されることを契機として、所定数の賞球が払い出されることとしても良い。
【００１８】
なお、磁性スポットの配置に対応して各入賞領域の位置が定めされても良い。すなわち、磁性スポットの移動方向を含む面と交わるように入賞領域が設けられていることとしても良い。
【００１９】
また、回転ドラムの回転速度および回転方向は、遊技機の遊技の進行に応じて変更することができる。
【００２０】
図３に示す如く、回転ドラム１４は、内側が窪んでいてボート状となっている半円筒体２８が２つ組み合わさって形成された円筒部と、該円筒部の両端部をそれぞれ覆う皿状体２９と、によって形成されていることとしても良い。半円筒体２８および皿状体２９はいずれも樹脂材料からなることとしても良い。半円筒体２８には凹部３０が設けられており、凹部３０は永久磁石若しくは電磁石を収容できる。また、半円筒体２８の両端にはそれぞれ２つの切り欠き部３１が設けられている。皿状体２９にはそれぞれ回転ドラムの回転軸１８と２つの突起部３２とが設けられている。突起部３２は半円筒体が組み合って切り欠き３１が形成する穴部に嵌合する。
【００２１】
上記の如き構成の遊技球の振分け装置１３の動作について図１および図２を参照しつつ説明する。回転ドラム１４は、所定の条件を満たす（例えば遊技球が始動口１０を通過する）ことによって回転する若しくは常時回転している。変動入賞装置１１の羽根部１２を通過した遊技球は、球通路１７ｂに誘導されて回転状態の回転ドラム１４に向かう。遊技球が向かった先が磁性スポット２２の近傍である場合は、磁性スポット２２に吸着される。磁性スポット２２に吸着した遊技球は、回転ドラム１４の回転によって入賞領域方向に搬送される。当該遊技球のうち、円筒面１９の中央に配置された磁性スポット２２に吸着された遊技球は中央に設けられた特定領域２６に搬送され、円筒の端部側に設けられた磁性スポット２２に吸着された遊技球は一般領域２７に搬送される。
【００２２】
一方、磁性スポット２２の間などの磁性スポット２２から離れた位置に向かった遊技球は、磁性スポット２２に直接に吸着されないものの、円筒面１９上に設けられた突条２１と衝突することによって運動方向が変化して、遊技球を磁性スポット２２の近傍若しくは遠方に向けることができる。また、円筒面１９および他の遊技球等に接触するなどして球通路１７ｂ上に残留する遊技球に対しても、回転ドラム１４の回転によって突条２１が該残留球と接触することができて、突条２１の回転運動および突条２１の形状に応じて、該残留球を磁性スポット２２の近傍若しくは遠方に移動せしめることができる。すなわち、突条２１を円筒面１９上に設けることによって遊技球の流れに変化を与えることができる。なお、球通路１７ｂ内に開口２５が設けられている場合、突条２１との接触によって遊技球を開口２５に向かわせることもできる。以上のように、遊技球の運動方向を変更する突条２１が動的であることにより、回転ドラムに向かう遊技球の運動方向を時間経過とともに変化させることができる。
【００２３】
上記した構成の遊技球の振分け装置は、突条による遊技球の振分け機能を備えることによって、遊技球の流れを変更することができる。さらに突条が動的であることから、遊技球の動きを複雑にすることができる。結果的に、遊技球の振分け先を動的に変化させることができて、遊技者は遊技球の動きおよび振分け結果を楽しむことができる。
【００２４】
変形例として図４に示す如く、回転ドラムは、回転面の中央部において回転方向に沿って磁性スポット２２が並べられている１つの磁性吸着領域２０を有し、かかる磁性吸着領域に対応する１つの入賞領域（例えば特定領域２６）のみを設けることとしても良い。かかる構成において、球通路１７ｂ上に供給された球を当該入賞領域以外の領域に案内するための開口２５が設けられても良い。その他の構成は図２に示して上述した遊技球の振分け装置とほぼ同様であることとしても良い。
【００２５】
なお、突条の位置は円筒面上の任意の位置に配置される。例えば図５に示す如く、磁性吸着領域２０の間に突条２１が形成されていることとしても良い。また、突条２１は磁性スポット２２を通過する回転軸に平行な直線から離れていることとしても良い。
【００２６】
また、突状２１の長手方向の向きが互いに異なっていることとしても良い。例えば図６（ａ）に示す如く、突条２１の回転ドラムの回転方向における先端部が後端部に比して円筒面１９の中央部から遠ざかる位置にあるものとしても良い。これとは逆に、図６（ｂ）に示す如く、突条２１の回転ドラムの回転方向における先端部が後端部に比して円筒面１９の中央部から近づく位置にあるものとしても良い。また、上記の如き形状の突状が組み合わされても良い（図６（ｃ））。かかる形状にすることにより、突条によって特定の磁性スポットへ向かって若しくは特定スポットから離れるように遊技球を導くことができる。また、図７に示す如く、突条２１は回転方向において曲線的に伸長することとしても良い。
【００２７】
さらにまた、図８に示す如く、突条２１の側面３３が、円筒面１９に対して垂直な面（図８（ａ））、円筒面１９の垂直面から傾いた傾斜面（図８（ｂ），（ｃ））、曲面（図８（ｄ））もしくはこれらの組み合わせであることとしても良い。また、突条２１の両側面３３の形状が互いに異なっていることとしても良い。例えば図８（ｅ）に示す如く、側面３３の傾斜角が互いに異なっている傾斜面を備えていることとしても良い。上記の如く、突条の側面の形状を変更することによって、遊技球を所定の向き若しくは不定の向きに導くことができる。
【００２８】
なお、突条の位置、伸長方向、および断面形状は、上記して図示したものに限定されず、これらを組み合わせたものであっても良い。
【００２９】
なお、回転ドラムの回転軸は円筒体の中心にある若しくは偏心していることとしても良い。なお、中心軸が偏心している場合、回転ドラムに向かって進行する遊技球の進行方向に対して順方向若しくは逆方向に突条を移動させることができて、これによって遊技球の動きを複雑に変化させることができる。
【図面の簡単な説明】
【００３０】
【図１】本発明による遊技機の外観斜視図である。
【図２】本発明による遊技球の振分け装置の外観斜視図である。
【図３】回転ドラムの分解斜視図である。
【図４】本発明による遊技球の振分け装置の変形例の外観斜視図である。
【図５】回転ドラムの円筒面を展開して示した図である。
【図６】回転ドラムの円筒面を展開して示した図である。
【図７】回転ドラムの円筒面を展開して示した図である。
【図８】突条の部分断面図である。
【符号の説明】
【００３１】
１  遊技機
１３  遊技球の振分け装置
１４  回転ドラム
１５  モータ
１６  ドラム支持体
１７ａ、１７ｂ、１７ｃ  球通路
１８  回転軸
１９  円筒面
２０  磁性吸着領域
２１  突条
２２  磁性スポット
２６  特定領域
【図１】
2006223731.tif 000003
【図２】
2006223731.tif 000004
【図３】
2006223731.tif 000005
【図４】
2006223731.tif 000006
【図５】
2006223731.tif 000007
【図６】
2006223731.tif 000008
【図７】
2006223731.tif 000009
【図８】
2006223731.tif 000010